(57)【要約】【課題】  使用者、特に、左利きの低学年の児童が使用する際に、使用しやすいと共に、被計測対象物をより計測しやすい直定規を提供することにある。【解決手段】  定規本体の長さ方向一端部から長さ方向他端部に沿って順番に第一の目盛数値が設けられると共に、上記第一の目盛数値の幅方向側方には、上記長さ方向他端部から長さ方向一端部に沿って、上記第一の目盛数値とは逆順に設けられた第二の目盛数値を有する。【選択図】  図１
0003167081.tif 000002
【実用新案登録請求の範囲】
【請求項１】
定規本体の長さ方向一端部から長さ方向他端部に沿って順番に第一の目盛数値が設けられると共に、上記第一の目盛数値の幅方向側方には、上記長さ方向他端部から長さ方向一端部に沿って、上記第一の目盛数値とは逆順に設けられた第二の目盛数値を有することを特徴とする直定規。
【請求項２】
上記第二の目盛数値は、上記第一の数値目盛の表示とは反転した表示となっていることを特徴とする請求項１記載の直定規。
【請求項３】
上記第一の目盛数値の内の基準となる数値は、数値の背景表示が設けられると共に上記数値は背景表示内の反転した文字により形成されていることを特徴とする請求項１記載の直定規。
【請求項４】
定規本体の長さ方向に沿って設けられた目盛は上記定規本体の長さ方向端縁から設けられていることを特徴とする直定規。
【請求項５】
上記目盛には定規本体の幅方向端部方向へ向かう矢印が表示されていることを特徴とする請求項１記載の直定規。
【請求項６】
上記矢印は１ｃｍ間隔目盛に設けられていることを特徴とする請求項５記載の直定規。
【請求項７】
上記定規本体の長さ方向に沿って設けられた目盛に対応する方眼罫線が設けられていることを特徴とする請求項４記載の直定規。
【考案の詳細な説明】
【技術分野】
【０００１】
本考案は、直定規の改良に関する。
【背景技術】
【０００２】
従来より、直定規が販売され児童に使用されている。
このような直定規は、一般的には、右利きの使用者用に、長さ方向に沿って設けられた目盛に対応して、定規本体の左端部から右端部に向かって数字目盛が順番に設けられている。
【０００３】
しかしながら、左利きの使用者にとっては定規本体の右端部から左端部方向へ視線を動かすものであり、使用しにくい、という不具合があったが、従来、左利きの児童、使用者が使いやすい直定規は存在しなかった。
【０００４】
また、従来の直定規は、定規本体の長さ方向端縁から若干離間した部位から０の目盛数字に対応する最初の目盛が設けられており、直定規を使用して被計測対象物の長さを計測しようとした場合、定規本体の長さ方向端縁部から直接に計測することができず、その都度、０の目盛数字に対応する最初の目盛を計測被対象物の端部に合わせる必要があり、特に、低学年の児童にとっては、計測作業が煩雑になる、という不具合もあった。
【考案の開示】
【考案が解決しようとする課題】
【０００５】
本考案はこのような従来からの不具合を解決するためのものであって、その課題は、使用者、特に、左利きの低学年の児童が使用する際に、使用しやすいと共に、被計測対象物をより計測しやすい直定規を提供することにある。
【課題を解決するための手段】
【０００６】
請求項１記載の考案にあっては、定規本体の長さ方向一端部から長さ方向他端部に沿って順番に第一の目盛数値が設けられると共に、上記第一の目盛数値の幅方向側方には、上記長さ方向他端部から長さ方向一端部に沿って、上記第一の目盛数値とは逆順に設けられた第二の目盛数値を有することを特徴とする。
【０００７】
従って、請求項１記載の考案にあっては、左利きの児童は上記第二の目盛数値を利用して計測することができる。
【０００８】
請求項２記載の考案にあっては、上記第二の目盛数値は、上記第一の数値目盛の表示とは反転した表示となっていることを特徴とする。
従って、請求項２記載の考案にあっては、使用者は第二の数値目盛を認識しやすい。
【０００９】
請求項３記載の考案にあっては、上記目盛数値の内の基準となる数値は、数値の背景表示が設けられると共に上記数値は背景表示内の反転した文字により形成されていることを特徴とする。
従って、児童は上記目盛数値の内の基準となる数値に関しては、背景表示内の反転文字により視認することができる。
【００１０】
請求項４記載の考案にあっては、定規本体の長さ方向に沿って設けられた目盛は上記定規本体の長さ方向端縁から設けられていることを特徴とする。
従って、請求項４記載の考案にあっては、定規本体の端縁を被計測対象物の端部に合わせることにより、いわゆる「端から目盛」を使用して被計測対象物の長さを直接的に計測することができる。
【００１１】
請求項５記載の考案にあっては、上記目盛には定規本体の幅方向端部方向へ向かう矢印が表示されていることを特徴とする。
従って、請求項５記載の考案にあっては、目盛に矢印が表示されていることから、多数の目盛の中で、例えば、基準となる目盛を矢印によって容易に認識することができる。
【００１２】
請求項６記載の考案にあっては、上記矢印は１ｃｍ間隔目盛に設けられていることを特徴とする。
従って、請求項６記載の考案にあっては、多数の目盛の中で１ｃｍ間隔毎に設けられた目盛を認識しやすい。
【００１３】
請求項７記載の考案にあっては、上記定規本体の長さ方向に沿って設けられた目盛に対応する方眼罫線が設けられていることを特徴とする。
従って、請求項７記載の考案にあっては、目盛に対応する方眼罫線を使用して計測を行うこともできる。
【考案の効果】
【００１４】
請求項１記載の考案にあっては、定規本体の長さ方向一端部から長さ方向他端部に沿って順番に第一の目盛数値が設けられると共に、上記第一の目盛数値の幅方向側方には、上記長さ方向他端部から長さ方向一端部に沿って、上記第一の目盛数値とは逆順に設けられた第二の目盛数値を有し、左利きの児童は上記第二の目盛数値を利用して計測することができることができるため、全体の児童の内、概ね１〜２割程度在籍する左利きの児童が容易に使用することができる直定規を提供することができる。
【００１５】
請求項２記載の考案にあっては、上記第二の目盛数値は、上記第一の数値目盛の表示とは反転した表示となっており、使用者は第二の数値目盛を認識しやすいことから、左利きの児童が使用する場合に、多数の目盛が設けられた定規本体の表面部において第二の数値目盛に基づいて容易かつ迅速に計測することができる。
【００１６】
請求項３記載の考案にあっては、上記目盛数値の内の基準となる数値は、数値の背景表示が設けられると共に上記数値は背景表示内の反転した文字により形成され、児童は上記目盛数値の内の基準となる数値に関しては、背景表示内の反転文字により視認することができるように構成されていることから、例えば、「０」「５」「１０」等の目盛数字の中で大まかな基準となる数字が反転文字により表示されることにより、連続して多数存在する数字を、基準数字を目視して把握することにより計測における数値の読み取り作業が容易に行うことができる。
【００１７】
請求項４記載の考案にあっては、定規本体の長さ方向に沿って設けられた目盛は上記定規本体の長さ方向端縁から設けられ、定規本体の端縁を被計測対象物の端部に合わせることにより、被計測対象物の長さを直接的に計測することができるように構成されていることから、いわゆる「端から目盛」を使用して、被計測対象物を容易かつ迅速に計測することができる。
【００１８】
請求項５記載の考案にあっては、上記目盛には定規本体の幅方向端部方向へ向かう矢印が表示されていることを特徴とする。
従って、請求項５記載の考案にあっては、目盛に矢印が表示されていることから、多数の目盛の中で、例えば、基準となる目盛を矢印によって容易に認識することができるため、被計測対象物の計測を容易かつ迅速に行うことが可能となる。
【００１９】
請求項６記載の考案にあっては、上記矢印は１ｃｍ間隔目盛に設けられており、定規本体上に設けられた多数の目盛の中で１ｃｍ間隔毎に設けられた目盛を認識しやすいことから、児童は１ｃｍ目盛に基づき、被計測対象物を計測しやすい。
【００２０】
請求項７記載の考案にあっては、上記定規本体の長さ方向に沿って設けられた目盛に対応する方眼罫線が設けられていることを特徴とする。
請求項７記載の考案にあっては、目盛に対応する方眼罫線を使用して計測を行うこともできると共に、横の罫線及び縦の罫線を利用して直定規が紙面上において適正な角度に置かれているか否か、の判断を容易に行うことができる。
【図面の簡単な説明】
【００２１】
【図１】本考案に係る計測用文房具の一実施の形態である直線定規を示す平面図である。
【図２】本考案に係る計測用文房具の一実施の形態である直線定規を一部拡大して示す平面図である。
【考案を実施するための最良の形態】
【００２２】
図１及び図２に示すように、本実施の形態に係る直定規１０は、定規本体１１の長さ方向一端部１２から長さ方向他端部１３に沿って順番に第一の目盛数値１４が設けらている。また、上記第一の目盛数値１４の幅方向側方（図中下方）には、上記長さ方向他端部１３から長さ方向一端部１２に沿って、上記第一の目盛数値１４とは逆順に設けられた第二の目盛数値１５が設けられている。
【００２３】
上記第一の目盛数値１４の内の基準となる数値、本実施の形態にあっては、「０」、「５」、「１０」、「１５」は、平行四辺形に形成された数値の背景表示１６が設けられると共に上記数値は背景表示１６内の反転した文字、本実施の形態にあっては、白抜き文字１７により形成されている。
【００２４】
また、上記第二の目盛数値１５は、上記第一の目盛数値１４の表示とは反転した表示となっている。即ち、「白抜き文字」である第一の数値目盛「１５」、「１０」、「５」、「０」に対応する第二の数字目盛「０」、「５」、「１０」、「１５」は「黒抜き文字」となっており、これ以外の第二の数字目盛は「白抜き文字」となっている。
【００２５】
定規本体１１の上記第一の目盛数値１４が設けられた第一の目盛１８の幅方向反対側には第二の目盛１９が設けられている。この第二の目盛１９は、定規本体１１の長さ方向他端部１３の端縁２０から設けられ、上記端縁２０に「０」目盛が、いわゆる「端から目盛」として設けられている。
【００２６】
また、上記第一の目盛１８及び第二の目盛１９には定規本体１１の幅方向端部方向へ向かう矢印２１が表示されている。上記矢印２１は１ｃｍ間隔目盛に設けられている。
【００２７】
また、本実施の形態にあっては、上記第二の目盛数値１５と幅方向他端部との間には、上記定規本体１１の長さ方向に沿って設けられた第二の目盛１９に対応する方眼罫線２２が設けられている。
上記方眼罫線２２は上記第二の目盛１９に連接して設けられており、５ｍｍ間隔毎に縦罫線２２ａが設けられると共に、上記縦罫線２２ａに直交するように横罫線２２ｂが設けられている。
【００２８】
以下、本実施の形態に係る直定規１０の作用について説明する。
使用者、特に、児童が本実施の形態に係る直定規１０を使用する場合、右利きの児童の場合には、上記第一の目盛数値１４を利用して被計測対象物の計測を行うことができる。  また、左利きの児童が使用する場合には、右から左方向へ視線を動かすことから、上記第二の目盛数値１５を利用して計測を行うことができる。
【００２９】
この場合、上記のように第二の目盛数値１５は第一の目盛数値１４とは反転表示になっていることから、左利きの児童は第二の目盛数値１５を認識しやすい。
また、第一の目盛１８を使用して計測する場合、上記矢印２１は１ｃｍ間隔目盛に設けられていることから、１ｃｍの位置を認識しやすいため、被計測対象物の計測がしやすい。
【００３０】
また、第二の目盛１９は、定規本体１１の長さ方向他端部１３の端縁２０から設けられ、上記端縁２０にいわゆる「端から目盛」として「０」目盛が設けられていることから、被計測対象物の端部に定規本体１１の端縁２０を配置することにより、直接に被計測対象物の長さを計測することができる。
【００３１】
従って、本実施の形態に係る直定規１０にあっては、左利きの児童が使用する場合に、多数の目盛が設けられた定規本体の表面部において第二の数値目盛に基づいて容易かつ迅速に計測することができる。
【００３２】
また、上記目盛数値の内の基準となる数値は、数値の背景表示が設けられると共に上記数値は背景表示内の反転した文字により形成され、児童は上記目盛数値の内の基準となる数値に関しては、背景表示内の反転文字により視認することができるように構成されていることから、例えば、「０」「５」「１０」等の目盛数字の中で大まかな基準となる数字が反転文字により表示されることにより、連続して多数存在する数字を、基準数字を目視して把握することにより計測における数値の読み取り作業が容易に行うことができる。
【００３３】
さらに、定規本体の長さ方向に沿って設けられた目盛は上記定規本体の長さ方向端縁から設けられ、定規本体の端縁を被計測対象物の端部に合わせることにより、被計測対象物の長さを直接的に計測することができるように構成されていることから、被計測対象物を容易かつ迅速に計測することができる。
【００３４】
また、目盛に矢印が表示されていることから、多数の目盛の中で、例えば、基準となる目盛を矢印によって容易に認識することができるため、被計測対象物の計測を容易かつ迅速に行うことが可能となる。
さらに、本実施の形態にあっては、目盛に対応する方眼罫線を使用して計測を行うこともできると共に、横の罫線及び縦の罫線を利用して直定規が紙面上において適正な角度に置かれているか否か、の判断を容易に行うことができる。
【符号の説明】
【００３５】
１０  直線定規
１１  定規本体
１２  長さ方向一端部
１３  長さ方向他端部
１４  第一の目盛数値
１５  第二の目盛数値
１６  背景表示
１７  白抜き文字
１８  第一の目盛
１９  第二の目盛
２０  端縁
２１  矢印
２２  方眼罫線
２２ａ  縦罫線
２２ｂ  横罫線
【図１】
0003167081.tif 000003
【図２】
0003167081.tif 000004
【手続補正書】
【提出日】平成23年1月27日(2011.1.27)
【手続補正１】
【補正対象書類名】実用新案登録請求の範囲
【補正対象項目名】請求項４
【補正方法】変更
【補正の内容】
【請求項４】
定規本体の長さ方向に沿って設けられた目盛は上記定規本体の長さ方向端縁から設けられていることを特徴とする請求項１記載の直定規。